(57)【要約】【課題】ヒートポンプ式床暖房空気調和機は、床暖房能力に合わせて圧縮機回転数を調整すると室内空調暖房能力が過大となり、逆に空調暖房能力に合わせて圧縮機周波数を調整すると床暖房能力が不足し床暖房パネルの表面温度が不足するという問題がある。【解決手段】空調暖房と床暖房の併用運転において、吸込み空気温度センサーとリモートコントローラの設定温度の差および圧縮機回転数を検知して空調暖房と床暖房の優先運転を切換えることにより、頻繁な優先運転の切換えを防止することで、室内温度の上昇および低下、または床暖房パネルの表面温度の低下を回避することを目的とする。【選択図】        図１
2005016881.tif 000002
【特許請求の範囲】
【請求項１】
室外機に配置された圧縮機、室外熱交換器、絞り装置、床暖房用のブラインまたは水と冷媒を熱交換させる床暖房用熱交換器と室内機に配置された室内熱交換器を冷媒配管で接続した冷媒回路と、前記床暖房用熱交換器から２次側熱媒体を床暖房パネルへ循環させるポンプを設けた２次側熱媒体循環回路とからなる空調暖房と床暖房の併用運転を行う空気調和装置において、前記室内機に吸い込み室内空気温度を検知する吸込み空気温度センサーを設け、前記吸込み空気温度センサーにより検知された室内温度と設定温度との差および前記圧縮機の回転数に応じて、空調暖房能力と床暖房能力の優先運転を切換えることを特徴とする空気調和装置。
【請求項２】
前記空調暖房と床暖房の併用運転において、空調暖房を優先する際は、室内温度とその設定温度との差により前記圧縮機回転数を制御することを特徴とした請求項１記載の空気調和装置。
【請求項３】
前記空調暖房と床暖房の併用運転において、床暖房を優先する際は、床暖房パネルの流入側配管に設けられた送水温度センサにより検知される送水温度を一定に制御するよう前記圧縮機回転数を制御することを特徴とした請求項１記載の空気調和装置。
【請求項４】
室外機に配置された圧縮機、室外熱交換器、絞り装置、床暖房用のブラインまたは水と冷媒を熱交換させる床暖房用熱交換器と室内機に配置された室内熱交換器を冷媒配管で接続した冷媒回路と、前記床暖房用熱交換器から２次側熱媒体を床暖房パネルへ循環させるポンプを設けた２次側熱媒体循環回路とからなる空調暖房と床暖房の併用運転を行う空気調和装置において、前記室内機に吸い込み室内空気温度を検知する吸込み空気温度センサーを設けるとともに、前記床暖房用熱交換器と前記室内熱交換器が副絞り装置を介して直列に配管接続され、前記吸込み空気温度センサーにより検知された室内温度と設定温度との差および前記圧縮機の回転数に応じて空調暖房能力と床暖房能力の優先運転を切換えることを特徴とする空気調和装置。
【請求項５】
前記空調暖房と床暖房の併用運転において、空調暖房を優先する際は、前記室内温度とその設定温度との差により前記副絞り装置を制御することを特徴とする請求項４記載の空気調和装置。
【請求項６】
前記空調暖房と床暖房の併用運転において、空調暖房を優先する際は、前記室内温度とその設定温度との差により前記圧縮機回転数を制御することを特徴とした請求項４または５に記載の空気調和装置。
【請求項７】
前記空調暖房と床暖房の併用運転において、床暖房を優先する際は、前記床暖房パネルの流出側配管に設けられた戻水温度センサーにより検知された戻水温度とその設定温度との差により前記副絞り装置を制御することを特徴とする請求項４に記載の空気調和装置。
【請求項８】
前記空調暖房と床暖房の併用運転において、床暖房を優先する際は、前記床暖房パネルの流入側配管に設けられた送水温度センサーにより検知された送水温度を一定に制御するよう前記圧縮機回転数を制御することを特徴とする請求項４または７に記載の空気調和装置。
【発明の詳細な説明】
【０００１】
【発明の属する技術分野】
この発明は、空気調和機による空調暖房と床暖房を併用可能な空気調和装置に関するものである。
【０００２】
【従来の技術】
従来のヒートポンプ床暖房空調装置は、低温低圧のガス冷媒を吸入して圧縮し高温高圧のガス冷媒を吐出する圧縮機、四方弁、室内熱交換器、前記室内熱交換器と並列に接続された床暖房用の温水熱交換器、絞り装置、室外熱交換器を配管で接続した冷凍サイクルと、床暖房の２次側熱媒体を循環するためのポンプ、前記温水熱交換器、床暖房パネルを配管で接続したものがある。
【０００３】
この従来のヒートポンプ床暖房空調装置は、圧縮機の吐出側に一端が接続された四方弁を介して室外熱交換器が接続される。この室外熱交換器の他端に一端が絞り装置を介して接続された室内熱交換器の他端が四方弁へ接続されるとともに、前記室外熱交換器の他端に一端が絞り装置を介して接続された温水熱交換器である床暖房用熱交換器が前記室内熱交換器と並列に四方弁へ接続される。一方、床暖房パネルの一端は床暖房用熱交換器に接続され、他端はポンプを介して前記床暖房用熱交換器に接続され２次側熱媒体である温水を循環する構成となっている。
【０００４】
以上のように構成された従来のヒートポンプ床暖房空調装置において、例えば床暖房＋空調暖房運転の場合について動作を説明する。圧縮機より高温高圧のガス冷媒が吐出し、四方弁を通った後室内熱交換器に接続される配管と床暖房用熱交換器に接続される配管に分岐される。室内熱交換器に分岐したガス冷媒の一部は室内空気と熱交換することにより、気液二相冷媒または液冷媒に凝縮し、室内熱交換器を流出する。また、床暖房用熱交換器に分岐した残りのガス冷媒は２次側熱媒体と熱交換することにより、気液二相冷媒または液冷媒に凝縮し、床暖房用熱交換器を流出する。室内熱交換器を流出した冷媒は絞り装置により減圧され、床暖房用熱交換器を流出した冷媒は絞り装置により減圧されたのち合流し、室外熱交換器に流入する。ここで外気と熱交換することにより冷媒は蒸発し、乾き度の高い二相冷媒またはガス冷媒となって流出し、四方弁を通って圧縮機に吸入される。
【０００５】
また、ここで用いる２次側熱媒体であるブラインの送水温度と床暖房パネル表面の温度の関係では、一般的に快適と考えられている床暖房パネル表面温度は２８℃〜３０℃と言われており、これより必要なブライン送水温度は少なくとも４０℃以上が必要と言える。
【０００６】
【特許文献１】
特開２０００−４６４１７号公報（第３−４頁、第１図）
【０００７】
【発明が解決しようとする課題】
上記のような従来のヒートポンプ床暖房空調装置は、室内熱交換器と床暖房用熱交換器が並列接続された冷媒回路となっている。床暖房用熱交換器は４０℃以上の２次側熱媒体温度を確保するために、常に比較的高めの冷媒温度を必要とするのに対し、室内熱交換器は暖房負荷に応じて必要な冷媒温度は変化し、また伝熱面積が広く伝熱性能の良い室内熱交換器では冷媒温度は床暖房用熱交換器で必要な冷媒温度よりも低い温度で十分である。しかし、従来のヒートポンプ床暖房空調装置では室内熱交換器と床暖房用熱交換器は並列に配管接続されているため、圧縮機から吐出した同じ温度の吐出ガス冷媒が流入する構造となっており、床暖房能力に合わせて圧縮機回転数を調整すると室内空調暖房能力が過大となったり、逆に空調暖房能力に合わせて圧縮機周波数を調整すると床暖房能力が不足し床暖房パネルの表面温度が不足するという問題点があった。
【０００８】
また、空調暖房優先時には室内温度は安定するが床暖房パネルの表面温度は低下し、逆に床暖房優先運転時には床暖房パネルの表面温度は安定するが室内温度が上昇するため、特に室内温度の安定性が悪く、快適性が悪化するという問題もあった。
【０００９】
この発明は上記のような問題点を解消するためになされたもので、空調暖房と床暖房の併用運転において、吸込み空気温度センサーとリモートコントローラによる設定温度の差および圧縮機回転数を検知して空調暖房と床暖房の優先運転を切換えることにより、頻繁な優先運転の切換えを防止することで、室内温度の上昇および低下や床暖房パネルの表面温度の低下を回避することを目的とする。さらに、圧縮機の回転数の制御方法を空調暖房運転と床暖房優先運転で変更することにより、室内温度および床暖房パネルの表面温度の安定性を高めることで、高い快適性を得ることを目的とする。
また、前記温水熱交換器と前記室内熱交換器が副絞り装置を介して直列に配管接続して空調暖房と床暖房の併用運転を行う空気調和装置であり、空調暖房優先運転時と床暖房優先運転時で副絞り装置と圧縮機回転数の制御方法を変更することにより、室内温度および床暖房パネルの表面温度の安定性を高めることで、高い快適性を得ることを目的とする。
【００１０】
【課題を解決するための手段】
この発明に係る空気調和装置は、室外機に配置された圧縮機、室外熱交換器、絞り装置、床暖房用のブラインまたは水と冷媒を熱交換させる床暖房用熱交換器と室内機に配置された室内熱交換器を冷媒配管で接続した冷媒回路と、前記床暖房用熱交換器から２次側熱媒体を床暖房パネルへ循環させるポンプを設けた２次側熱媒体循環回路とからなる空調暖房と床暖房の併用運転を行う空気調和装置において、前記室内機に吸い込み室内空気温度を検知する吸込み空気温度センサーを設け、前記吸込み空気温度センサーにより検知された室内温度と設定温度との差および前記圧縮機の回転数に応じて、空調暖房能力と床暖房能力の優先運転を切換えるものである。
【００１１】
また、前記空調暖房と床暖房の併用運転において、空調暖房を優先する際は、室内温度とその設定温度との差により前記圧縮機回転数を制御するものである。
【００１２】
また、前記空調暖房と床暖房の併用運転において、床暖房を優先する際は、床暖房パネルの流入側配管に設けられた送水温度センサにより検知される送水温度を一定に制御するよう前記圧縮機回転数を制御するものである。
【００１３】
この発明に係る空気調和装置は、室外機に配置された圧縮機、室外熱交換器、絞り装置、床暖房用のブラインまたは水と冷媒を熱交換させる床暖房用熱交換器と室内機に配置された室内熱交換器を冷媒配管で接続した冷媒回路と、前記床暖房用熱交換器から２次側熱媒体を床暖房パネルへ循環させるポンプを設けた２次側熱媒体循環回路とからなる空調暖房と床暖房の併用運転を行う空気調和装置において、前記室内機に吸い込み室内空気温度を検知する吸込み空気温度センサーを設けるとともに、前記床暖房用熱交換器と前記室内熱交換器が副絞り装置を介して直列に配管接続され、前記吸込み空気温度センサーにより検知された室内温度と設定温度との差および前記圧縮機の回転数に応じて空調暖房能力と床暖房能力の優先運転を切換えるものである。
【００１４】
また、前記空調暖房と床暖房の併用運転において、空調暖房を優先する際は、前記室内温度とその設定温度との差により前記副絞り装置を制御するものである。
【００１５】
また、前記空調暖房と床暖房の併用運転において、空調暖房を優先する際は、前記室内温度とその設定温度との差により前記圧縮機回転数を制御するものである。
【００１６】
また、前記空調暖房と床暖房の併用運転において、床暖房を優先する際は、前記床暖房パネルの流出側配管に設けられた戻水温度センサーにより検知された戻水温度とその設定温度との差により前記副絞り装置を制御するものである。
【００１７】
また、前記空調暖房と床暖房の併用運転において、床暖房を優先する際は、前記床暖房パネルの流入側配管に設けられた送水温度センサーにより検知された送水温度を一定に制御するよう前記圧縮機回転数を制御するものである。
【００１８】
【発明の実施の形態】
実施の形態１．
図１は本発明の実施の形態１に係る空気調和装置を示すブロック図である。図において、１は圧縮機、２は四方弁、３は室内熱交換器、５は絞り装置、６は室外熱交換器、４は四方弁２と室内熱交換器３を接続する配管に並列に設けられて接続された床暖房用熱交換器、１８は前記床暖房用熱交換器から室内熱交換器３側の配管に設けられ電子膨張弁を用いた副絞り装置であり、これらが冷媒回路を構成している。また、７は床暖房パネル、１３はバッファータンク、８はポンプであり、床暖房用熱交換器４と順次配管接続され２次側熱媒体循環回路を構成している。
【００１９】
図１において、５は室外熱交換器６と室内熱交換器３とを接続する冷媒配管に取り付けられた絞り装置であり、２は圧縮機１に接続され流れ方向を切換える四方弁である。４は床暖房用熱交換器であり、図に示すように暖房運転時の冷媒流れ方向において、室内熱交換器３の上流側に副絞り装置１８を介して冷媒配管により直列接続されている。したがって、熱源側熱交換器である室外熱交換器６に対応した負荷側熱交換器は直列に接続された床暖房用熱交換器４と室内熱交換器３の両方となる。また床暖房用熱交換器４にはブラインなどの２次側熱媒体を循環させるためのポンプ８と床暖房パネル７を２次側熱媒体で順次環状に接続している。
【００２０】
このヒートポンプ床暖房の空気調和装置の構成について説明する。図１に示すように、圧縮機１から四方弁２を介して一端は室外熱交換器６から絞り装置５を経て室内熱交換器３へ順次配管接続され、四方弁２のもう一端は床暖房用熱交換器４へ配管接続されている。そして、前記室内熱交換器３の絞り装置側とは逆側の一端と前記床暖房用熱交換器４の四方弁とは逆側の一端を副絞り装置１８を介して配管接続することで圧縮機１から吐出した冷媒が循環する冷媒回路が形成されている。なお、圧縮機１、四方弁２、室外熱交換器６及び絞り装置５は通常一般的に用いられている空気調和装置室外機の主要冷媒回路部であり、また室内熱交換器３は空気調和装置室内機の主要冷媒回路部、床暖房用熱交換器４は床暖房用熱交換ユニットの主要冷媒回路部である。したがって、通常一般的に用いられている空気調和装置室外機と空気調和装置室内機、および床暖房用熱交換ユニットとを冷媒配管で順次接続した構成となっている。また、床暖房用熱交換器４は圧縮機から吐出された冷媒と熱交換する２次側熱媒体を流通させる配管により床暖房パネル７へ接続され、さらに床暖房パネルの他端からバッファータンク１３およびポンプ８を介して床暖房用熱交換器４へ配管接続して２次側熱媒体循環回路を形成している。
【００２１】
次に、このように構成された冷凍サイクルにおいて空調暖房＋床暖房運転時の空調暖房優先運転時の動作を図２を参照しながら説明する。図２は空調暖房＋床暖房運転時の空調暖房優先運転時のモリエル線図の一例である。
圧縮機１より高温高圧のガス冷媒が吐出し、四方弁２を通った後床暖房用熱交換器４に流入する（図２のイ）。床暖房用熱交換器４に流入したガス冷媒はポンプ８により循環している２次側熱媒体であるブラインと熱交換することにより、吐出温度より冷却されたガス冷媒または乾き度の高い二相冷媒に凝縮し、床暖房用熱交換器４を流出する（図２のロ）。一方、温度の上昇したブラインは床暖房パネル７内の配管に入り床暖房パネルの表面温度を上昇させ、床暖房運転を実現させる。床暖房用熱交換器４を流出したガス冷媒または二相冷媒は副絞り装置１８をわずかな減圧で通過し室内熱交換器３に流入し、室内空気と熱交換することにより、乾き度の低い気液二相冷媒または過冷却液冷媒に凝縮し、室内熱交換器３を流出する（図２のハ）。一方室内熱交換器を通った室内空気は冷媒との熱交換により温度が上昇し、空調暖房運転を実現する。室内熱交換器３を流出した冷媒は絞り装置５により減圧され、室外熱交換器６に流入する。ここで外気と熱交換することにより冷媒は蒸発し、乾き度の高い気液二相冷媒またはガス冷媒となって室外熱交換器６を流出し、四方弁２を通って圧縮機１に吸入される。
【００２２】
このように空調暖房優先モードにおいては、床暖房用熱交換器４と室内熱交換器３を流れる冷媒は同じ高圧となり、相対的に伝熱面積が大きく伝熱性能の良い室内熱交換器３の凝縮能力によって高圧の動作圧力が決まる。したがって、空調暖房能力が床暖房能力に比べて相対的に大きくなり、空調暖房優先の運転を実現することができる。空調暖房優先モードは特に室温が低い立ち上がり時に適用され、床温度よりも室温の上昇を優先する場合の運転モードである。
【００２３】
次に、このように構成された冷凍サイクルにおいて空調暖房＋床暖房運転時の床暖房優先運転時の動作を図３を参照しながら説明する。図３は空調暖房＋床暖房運転時の床暖房優先運転時のモリエル線図の一例である。
圧縮機１より高温高圧のガス冷媒が吐出し、四方弁２を通った後床暖房用熱交換器４に流入する（図３のイ）。床暖房用熱交換器４に流入したガス冷媒はポンプ８により循環している２次側熱媒体であるブラインと熱交換することにより、吐出温度より冷却されたガス冷媒または乾き度の高い二相冷媒に凝縮し、床暖房用熱交換器４を流出する（図３のロ）。一方、温度の上昇したブラインは床暖房パネル７内の配管に入り床暖房パネルの表面温度を上昇させ、床暖房運転を実現させる。床暖房用熱交換器４を流出したガス冷媒または二相冷媒は副絞り装置１８によって高圧から中圧に減圧され、凝縮温度は床暖房用熱交換器内の高温から中温に低下して室内熱交換器３に流入する（図３のハ）。中圧中温の二相冷媒は室内空気と熱交換することにより、乾き度の低い気液二相冷媒または過冷却液冷媒に凝縮し、室内熱交換器３を流出する（図３のニ）。一方室内熱交換器を通った室内空気は冷媒との熱交換により温度が上昇し、空調暖房運転を実現する。室内熱交換器３を流出した冷媒は絞り装置５により減圧され、室外熱交換器６に流入する。ここで外気と熱交換することにより冷媒は蒸発し、乾き度の高い気液二相冷媒またはガス冷媒となって室外熱交換器６を流出し、四方弁２を通って圧縮機１に吸入される。
【００２４】
このように床暖房優先モードにおいては、副絞り装置１８によって２つの凝縮温度を作りだし、高温高圧の吐出ガス冷媒を室内熱交換器３より優先して床暖房用熱交換器４に流し、床暖房用熱交換器４で放熱し温度の低下したガス冷媒または二相冷媒を副絞り装置１８によって減圧させ中圧中温の二相冷媒として下流の室内熱交換器３に流す構成としているため、圧縮機から吐出された過熱ガス冷媒を有効に利用しさらに高凝縮温度の二相冷媒と熱交換することによってブライン温度を高温化することができ床暖房能力を増加することが可能となり、一方室内熱交換器３へは凝縮温度の低下した中圧中温の冷媒を流すため、空調暖房能力を抑制することが可能となり、空調暖房能力を過大にすることなく床暖房能力を優先する運転が可能となり、室温を適性に保ちながら、床暖房パネルの表面温度の上昇を実現することができる。床暖房優先モードは特に室温が設定温度付近で床温度が十分に上がっていない場合に適用され、室温よりも床温度の上昇を優先する場合の運転モードである。
【００２５】
次に、空調暖房優先運転と床暖房優先運転の切換え動作について説明する。空調暖房運転時はリモートコントローラ（図示せず）で設定した室内温度になるよう圧縮機１と絞り装置５を制御する。ここで、図４に示すようにリモートコントローラからの空気側の設定温度と室内熱交換器３の室内空気流入側に設けられた吸込み空気温度センサー１６の検知温度との差、および圧縮機１の回転数を検知し、リモートコントローラの空気側設定温度と吸込み空気温度センサー１６の検知温度との差が予め定めたΔＴ１以下で、圧縮機の回転数が予め定めたＦ１以下になった時点で空気側負荷が満足したものと判定し、空調暖房運転から床暖房優先運転への切換えをする。一方、床暖房優先運転において、リモートコントローラの空気側設定温度と吸込み空気温度センサー１６の検知温度との差が予め定めたΔＴ２以上（ΔＴ１よりΔＴ２は大きい）になった時点で空気側負荷が不足したものと判定し、床暖房優先運転から空調暖房運転への切換えを実施する。ここで、ΔＴ１とΔＴ２との差からなるデファレンシャル幅は、例えば空気温度センサー１６が検知できる最小分解温度幅の３倍程度とし、具体例ではΔＴ１＝０ｄｅｇ，ΔＴ２＝１ｄｅｇとする。また、Ｆ１値は、例えば定格能力における定格周波数とする。
【００２６】
以上のように、空調暖房＋床暖房運転で空調暖房優先運転と床暖房優先運転の切換えを実施する際に、リモートコントローラの空気側設定温度と吸込み空気温度センサー１６の検知温度との差および圧縮機１の回転数を検知して空気側の負荷判定を行うため、頻繁な切換え動作を防止することが可能となり、室温および床暖房パネルの表面温度の安定性を高め、高い快適性を得ることができる。
【００２７】
また、図５は実施の形態１のさらに別の空気調和装置を示すブロック図である。なお、図５の冷凍サイクルは空調暖房＋床暖房運転時の状態を示しており、図１で説明した同一又は相当部分には同じ符号を付し説明を省略する。図中の９は図１の副絞り装置１８の代わりに設けた毛細管、１９は毛細管９のバイパス回路に配設された二方弁である。
【００２８】
図５のヒートポンプ床暖房の空気調和装置において、空調暖房＋床暖房運転時の次の２つの運転モードの動作を説明する。
まず、空調暖房優先モードにおいては、床暖房用熱交換器４の下流側に設けられた毛細管９をバイパスするために二方弁１９を開の状態で運転する。圧縮機１より高温高圧のガス冷媒が吐出し、四方弁２を通った後床暖房用熱交換器４に流入する。床暖房用熱交換器４に流入したガス冷媒はポンプ８により循環している２次側熱媒体であるブラインと熱交換することにより、吐出温度より冷却されたガス冷媒または乾き度の高い二相冷媒に凝縮し、床暖房用熱交換器４を流出する。一方、温度の上昇したブラインは床暖房パネル７内の配管に入り床暖房パネルの表面温度を上昇させ、床暖房運転を実現させる。床暖房用熱交換器４を流出したガス冷媒または二相冷媒は二方弁１９を介して室内熱交換器３に流入し、室内空気と熱交換することにより、高圧で乾き度の低い気液二相冷媒または過冷却液冷媒に凝縮し、室内熱交換器３を流出する。一方室内熱交換器を通った室内空気は冷媒との熱交換により温度が上昇し、空調暖房運転を実現する。室内熱交換器３を流出した冷媒は絞り装置５により減圧され、室外熱交換器６に流入する。ここで外気と熱交換することにより冷媒は蒸発し、乾き度の高い気液二相冷媒またはガス冷媒となって室外熱交換器６を流出し、四方弁２を通って圧縮機１に吸入される。
【００２９】
このように空調暖房優先モードにおいては、二方弁１９を開で運転するため、床暖房用熱交換器４と室内熱交換器３を流れる冷媒は同じ高圧となり、相対的に伝熱面積が大きく伝熱性能の良い室内熱交換器３の凝縮能力によって高圧の動作圧力が決まる。したがって、空調暖房能力が床暖房能力に比べて相対的に大きくなり、空調暖房優先の運転を実現することができる。空調暖房優先モードは特に室温が低い立ち上がり時に適用され、床温度よりも室温の上昇を優先する場合の運転モードである。
【００３０】
また、もう一つの運転モードである床暖房優先モードにおいては、二方弁１９を閉の状態で運転する。圧縮機１より高温高圧のガス冷媒が吐出し、四方弁２を通った後床暖房用熱交換器４に流入する。床暖房用熱交換器４に流入したガス冷媒はポンプ８により循環している２次側熱媒体であるブラインと熱交換することにより、吐出温度より冷却されたガス冷媒または乾き度の高い二相冷媒に凝縮し、床暖房用熱交換器４を流出する。一方、温度の上昇したブラインは床暖房パネル７内の配管に入り床暖房パネルの表面温度を上昇させ、床暖房運転を実現させる。床暖房用熱交換器４を流出したガス冷媒または二相冷媒は毛細管９によって高圧から中圧に減圧され、凝縮温度は床暖房用熱交換器内の高温から中温に低下して室内熱交換器３に流入する。中圧中温の二相冷媒は室内空気と熱交換することにより、乾き度の低い気液二相冷媒または過冷却液冷媒に凝縮し、室内熱交換器３を流出する。一方室内熱交換器を通った室内空気は冷媒との熱交換により温度が上昇し、空調暖房運転を実現する。室内熱交換器３を流出した冷媒は絞り装置５により減圧され、室外熱交換器６に流入する。ここで外気と熱交換することにより冷媒は蒸発し、乾き度の高い気液二相冷媒またはガス冷媒となって室外熱交換器６を流出し、四方弁２を通って圧縮機１に吸入される。
【００３１】
このように床暖房優先モードにおいては、ニ方弁１９を閉じて毛細管９によって２つの凝縮温度を作りだし、高温高圧の吐出ガス冷媒を室内熱交換器３より優先して床暖房用熱交換器４に流し、床暖房用熱交換器４で放熱し温度の低下したガス冷媒または二相冷媒を毛細管９によって減圧させ中圧中温の二相冷媒として下流の室内熱交換器３に流す構成としているため、圧縮機から吐出された過熱ガス冷媒を有効に利用しさらに高凝縮温度の二相冷媒と熱交換することによってブライン温度を高温化することができ床暖房能力を増加することが可能となり、一方室内熱交換器３へは凝縮温度の低下した中圧中温の冷媒を流すため、空調暖房能力を抑制することが可能となり、空調暖房能力を過大にすることなく床暖房能力を優先する運転が可能となり、室温を適性に保ちながら、床暖房パネルの表面温度の上昇を実現することができる。床暖房優先モードは特に室温が設定温度付近で床温度が十分に上がっていない場合に適用され、室温よりも床温度の上昇を優先する場合の運転モードである。
【００３２】
次に、空調暖房優先運転と床暖房優先運転の切換え動作について説明する。空調暖房運転時はリモートコントローラ（図示せず）で設定した室内温度になるよう圧縮機１と絞り装置５を制御する。ここで、図４に示すようにリモートコントローラの空気側の設定温度と吸込み空気温度センサー１６の検知温度との差および圧縮機１の回転数を検知し、上述と同様にリモートコントローラの設定温度と吸込み空気温度センサー１６の検知温度との差がΔＴ１以下で、圧縮機の回転数がＦ１以下になった時点で空気側負荷が満足したものと判定し、ニ方弁１９を閉じて空調暖房運転から床暖房優先運転への切換えを実施する。一方、床暖房優先運転において、リモートコントローラの空気側設定温度と吸込み空気温度センサー１６の検知温度との差がΔＴ２以上になった時点で空気側負荷が不足したものと判定し、ニ方弁１９を開けて床暖房優先運転から空調暖房運転への切換えを実施する。
【００３３】
以上のように、空調暖房＋床暖房運転で空調暖房優先運転と床暖房優先運転の切換えを実施する際に、リモートコントローラの設定温度と吸込み空気温度センサー１６の検知温度との差および圧縮機１の回転数を検知して空気側の負荷判定を行いニ方弁１９の開閉動作を行うため、頻繁な切換え動作を防止することが可能となり、室温および床暖房パネルの表面温度の安定性を高め、高い快適性を得ることができる。
【００３４】
次に、図１において、空調暖房＋床暖房運転で空調暖房優先運転時の副絞り装置１８と圧縮機１の制御について説明する。空調暖房優先運転時の副絞り装置１８（電子膨張弁）の絞り量および圧縮機１の回転数はリモートコントローラ（図示せず）の空気側の設定温度と吸込み空気温度センサー１６の検知温度との差（ΔＴｒ）により制御を行う。図６に示すようにΔＴｒが大きくなると、副絞り装置１８の開口面積を大きくして絞り量を少なくし、床暖房用熱交換器４と室内熱交換器３の圧力差を小さくするように制御する。ここで、ΔＴｒがΔＴ３以上の領域では、副絞り装置１８の開口面積が最大であるＳｍａｘで固定して使用する。この結果、室内熱交換器３の高圧圧力が上昇し、高い空調暖房能力を得ることが可能となる。ここで、ΔＴ１、ΔＴ２、ΔＴ３はこの順に大きな値としている。
また、圧縮機１の回転数はΔＴｒが大きくなると、回転数を大きくし暖房能力を増加させるよう制御する。この結果、高い空調暖房能力を得ることが可能となる。
【００３５】
次に、空調暖房＋床暖房運転で床暖房優先運転時の副絞り装置１８と圧縮機１の制御について説明する。空調暖房優先運転時の副絞り装置１８の絞り量はリモートコントローラの設定床温度レベルと床温度を間接的に推測するために床暖房パネルの出口側配管に設けられた戻水温度センサー６０の検知温度との差（ΔＴｗ）により制御を行う。例えば床温度レベルが強と設定されたときは戻水温度の目標値は４５℃、中では４０℃、弱では３５℃とし、この目標値に戻水温度センサー６０の検出する値が近づくように副絞り装置１８の制御を行う。図７に示すようにΔＴｗが大きくなると、副絞り装置１８の開口面積を小さくして絞り量を大きくとり、床暖房用熱交換器４と室内熱交換器３の圧力差を大きくするように制御する。ここで、副絞り装置１８の全閉運転を防止するため、ΔＴｗがΔＴｗ１以上の領域では、副絞り装置１８の開口面積をＳｍｉｎで固定し、最小開口面積を規定する。この結果、床暖房用熱交換器４の高圧圧力が上昇し、高い床暖房能力を得ることが可能となり、さらに副絞り装置１８の全閉運転を防止することができる。また、室内熱交換器３の圧力は中圧となり、空調暖房能力を抑制することが可能となるため、室内温度の過上昇を防止することができる。このとき、室内ユニットのファンモータ（図示せず）の回転数を低下させ、さらに、吹出し空気の風向を変向する室内フラップを上向きにすることで冷風感を防止することができる。
また、上記戻水温度による福絞り装置１８の制御とともに、圧縮機１の回転数は床暖房パネル７に流入する側の配管に設けられた送水温度センサー６１の温度を一定に保つように制御する。例えば、送水温度の目標値を５０℃とすると、圧縮機１の回転数は送水温度センサー６１の値が５０℃に近づくように制御する。この結果、素早く送水温度を上昇させることが可能となり、立上がり性能を改善することができる。
【００３６】
【発明の効果】
この発明に係る空気調和装置は、室外機に配置された圧縮機、室外熱交換器、絞り装置、床暖房用のブラインまたは水と冷媒を熱交換させる床暖房用熱交換器と室内機に配置された室内熱交換器を冷媒配管で接続した冷媒回路と、前記床暖房用熱交換器から２次側熱媒体を床暖房パネルへ循環させるポンプを設けた２次側熱媒体循環回路とからなる空調暖房と床暖房の併用運転を行う空気調和装置において、前記室内機に吸い込み室内空気温度を検知する吸込み空気温度センサーを設け、前記吸込み空気温度センサーにより検知された室内温度と設定温度との差および前記圧縮機の回転数に応じて、空調暖房能力と床暖房能力の優先運転を切換えるので、頻繁な切換え動作を防止することが可能となり、室温および床暖房パネルの表面温度の安定性を高め、高い快適性を得ることができる。
【００３７】
また、前記空調暖房と床暖房の併用運転において、空調暖房を優先する際は、室内温度とその設定温度との差により前記圧縮機回転数を制御するので、高い空調暖房能力を得ることが可能となる。
【００３８】
また、前記空調暖房と床暖房の併用運転において、床暖房を優先する際は、床暖房パネルの流入側配管に設けられた送水温度センサにより検知される送水温度を一定に制御するよう前記圧縮機回転数を制御するので、素早く送水温度を上昇させることが可能となり、立上がり性能を改善することができる。
【００３９】
この発明に係る空気調和装置は、室外機に配置された圧縮機、室外熱交換器、絞り装置、床暖房用のブラインまたは水と冷媒を熱交換させる床暖房用熱交換器と室内機に配置された室内熱交換器を冷媒配管で接続した冷媒回路と、前記床暖房用熱交換器から２次側熱媒体を床暖房パネルへ循環させるポンプを設けた２次側熱媒体循環回路とからなる空調暖房と床暖房の併用運転を行う空気調和装置において、前記室内機に吸い込み室内空気温度を検知する吸込み空気温度センサーを設けるとともに、前記床暖房用熱交換器と前記室内熱交換器が副絞り装置を介して直列に配管接続され、前記吸込み空気温度センサーにより検知された室内温度と設定温度との差および前記圧縮機の回転数に応じて空調暖房能力と床暖房能力の優先運転を切換えるので、頻繁な切換え動作を防止することが可能となり、室温および床暖房パネルの表面温度の安定性を高め、高い快適性を得ることができる。
【００４０】
また、前記空調暖房と床暖房の併用運転において、空調暖房を優先する際は、前記室内温度とその設定温度との差により前記副絞り装置を制御するので、高い空調暖房能力を得ることが可能となる。
【００４１】
また、前記空調暖房と床暖房の併用運転において、空調暖房を優先する際は、前記室内温度とその設定温度との差により前記圧縮機回転数を制御するので、高い空調暖房能力を得ることが可能となる。
【００４２】
また、前記空調暖房と床暖房の併用運転において、床暖房を優先する際は、前記床暖房パネルの流出側配管に設けられた戻水温度センサーにより検知された戻水温度とその設定温度との差により前記副絞り装置を制御するので、高い床暖房能力を得ることが可能となる。
【００４３】
また、前記空調暖房と床暖房の併用運転において、床暖房を優先する際は、前記床暖房パネルの流入側配管に設けられた送水温度センサーにより検知された送水温度を一定に制御するよう前記圧縮機回転数を制御するので、素早く送水温度を上昇させることが可能となり、立上がり性能を改善することができる。
【図面の簡単な説明】
【図１】本発明の実施の形態１に係る空気調和装置を示すブロック図である。
【図２】本発明の実施の形態１に係り、空調暖房＋床暖房運転時の空調暖房優先運転時のモリエル線図である。
【図３】本発明の実施の形態１に係り、空調暖房＋床暖房運転時の床暖房優先運転時のモリエル線図である。
【図４】本発明の実施の形態１に係り、空調暖房優先運転と床暖房優先運転の切換え条件である。
【図５】本発明の実施の形態１に係る別の空気調和装置を示すブロック図である。
【図６】本発明の実施の形態１に係り、空調暖房優先運転時の副絞り装置の制御範囲である。
【図７】本発明の実施の形態１に係り、床暖房優先運転時の副絞り装置の制御範囲である。
【符号の説明】
１  圧縮機、  ２  四方弁、  ３  室内熱交換器、  ４  床暖房用熱交換器、５    絞り装置、  ６  室外熱交換器、  ７  床暖房パネル、  ８  ポンプ、９  毛細管、  １３  バッファータンク、  １６  吸込み空気温度センサー、１８  副絞り装置、  １９  二方弁、  ３３、３４  冷媒配管、  ６０  戻水温度センサー、  ６１  送水温度センサー。
【図１】
2005016881.tif 000003
【図２】
2005016881.tif 000004
【図３】
2005016881.tif 000005
【図４】
2005016881.tif 000006
【図５】
2005016881.tif 000007
【図６】
2005016881.tif 000008
【図７】
2005016881.tif 000009